【手続補正書】
【提出日】平成25年2月20日(2013.2.20)
【手続補正１】
【補正対象書類名】特許請求の範囲
【補正対象項目名】全文
【補正方法】変更
【補正の内容】
【特許請求の範囲】
【請求項１】
遊技領域に設けた所定の始動入賞領域を遊技球が通過すると、複数の識別情報を変動表示する変動表示ゲームが実行され、該変動表示ゲームの結果に対応して遊技者に特典を付与する特別遊技状態を発生可能な遊技機において、
前記遊技領域における遊技を統括的に制御する遊技制御手段と、
遊技の演出を行う複数の演出装置と、
前記遊技制御手段からの指令に対応して、前記複数の演出装置を制御する演出制御手段と、を備え、
前記演出装置の系統の各々を複数グループに分割し、該分割されたグループに属する演出装置を制御するためのグループ単位制御手段を各グループ毎に設け、
前記演出制御手段を、前記グループ単位制御手段の各々を統括的に制御するグループ統括制御手段として構成するとともに、
前記グループ統括手段から前記グループ単位制御手段へタイミング信号を伝達するタイミング信号線と、
前記グループ統括制御手段と前記グループ単位制御手段との間でデータを授受するデータ線と、
を備えることにより前記グループ統括制御手段と前記各グループ単位制御手段との間で相互にデータ送信を可能とし、
前記グループ統括制御手段は、
前記各グループ単位制御手段の中から送信先のグループ単位制御手段を選択してアドレスを設定するアドレス設定手段と、
前記データ線の信号レベルを送信データに対応する信号レベルに設定しながら前記タイミング信号線の信号レベルを繰り返し変化させることで、前記送信先のグループ単位制御手段に前記アドレスを含むデータ送信を行う送信手段と、
前記送信手段によるデータ送信の後に、前記グループ単位制御手段からの返答信号を取り込む返答信号取込手段と、
取り込んだ前記返答信号によりデータ送信の成否を判定する判定手段と、を備え、
前記グループ単位制御手段は、
前記送信手段が送信したデータが自宛のアドレスを示す場合に、該送信手段がデータ送信を行った前記データ線を介して、前記返答信号を前記グループ統括制御手段へ出力する返答信号出力手段を備え、
前記各グループ単位制御手段の各々には個別のアドレスが設定され、
当該遊技機は、前記グループ統括制御手段に接続可能なグループ単位制御手段の全てのアドレスのうちの一部のアドレスを有するグループ単位制御手段の組み合わせによって、予め定められた複数種類の仕様の中から、当該遊技機の仕様が選択的に特定されるとともに、
前記グループ統括制御手段は、
当該遊技機の仕様を識別可能な仕様識別情報を記憶する仕様情報記憶手段と、
前記判定手段による判定結果に基づいて、当該グループ統括制御手段に接続されたグループ単位制御手段のアドレスの組み合わせを特定する組み合わせ特定手段と、
前記組み合わせ特定手段により特定されたグループ単位制御手段のアドレスの組み合わせと、前記仕様識別情報によって特定される仕様との一致を判別する仕様一致判別手段と、
を備えることを特徴とする遊技機。
【請求項２】
前記演出制御手段は、
当該遊技機の仕様を特定する仕様コマンドを、前記遊技制御手段から受信し、
該仕様コマンドに基づいて、前記仕様識別情報を前記仕様情報記憶手段に記憶し、
前記仕様一致判別手段により、前記組み合わせ特定手段により特定されたグループ単位制御手段のアドレスの組み合わせと、前記仕様識別情報によって特定される仕様とが一致しないと判別された場合に、当該遊技機に設定された仕様が整合していない旨の報知を行う報知手段を備えたことを特徴とする請求項１に記載の遊技機。
【請求項３】
前記仕様一致判別手段は、前記組み合わせ特定手段により特定されたグループ単位制御手段のアドレスの組み合わせと、前記仕様識別情報によって特定される仕様との一致判別を、当該遊技機の電源投入時に実行することを特徴とする請求項１又は請求項２に記載の遊技機。
【請求項４】
前記仕様一致判別手段は、前記組み合わせ特定手段により特定されたグループ単位制御手段のアドレスの組み合わせと、前記仕様識別情報によって特定される仕様との一致判別を、定期的に実行することを特徴とする請求項１から請求項３のいずれかに記載の遊技機。
【請求項５】
前記報知手段は、前記遊技制御手段から前記仕様コマンドを受信していない場合には、前記仕様一致判別手段の判別結果にかかわらず、当該遊技機に設定された仕様が整合していない旨の報知を行わないことを特徴とする請求項２に記載の遊技機。
【請求項６】
遊技球を発射して遊技が行われる遊技領域が形成された遊技盤と、
前記遊技盤が着脱可能に取り付けられる前面枠と、を備え、
前記前面枠には遊技の演出を行う前記演出装置が備えられるとともに、該前面枠は、該演出装置の種類が互いに異なる第１遊技枠若しくは第２遊技枠として、複数の仕様の何れかが設定され、
前記遊技盤は前記第１遊技枠及び第２遊技枠の何れにも取り付けられ、
前記グループ単位制御手段は、前記第１遊技枠に備えた演出装置を制御する第１グループ単位制御手段と、前記第１グループ単位制御手段と異なるアドレスが設定されて、前記第２遊技枠に備えた演出装置を制御する第２グループ単位制御手段と、を含み、
前記送信手段は、前記遊技盤が前記第１遊技枠及び前記第２遊技枠のいずれに取り付けられた場合であっても、前記第１グループ単位制御手段及び前記第２グループ単位制御手段に設定されたすべてのアドレスに対して前記データを送信することを特徴とする請求項１から請求項５のいずれかに記載の遊技機。
【手続補正２】
【補正対象書類名】明細書
【補正対象項目名】００１１
【補正方法】変更
【補正の内容】
【００１１】
第１の発明は、遊技領域に設けた所定の始動入賞領域を遊技球が通過すると、複数の識別情報を変動表示する変動表示ゲームが実行され、該変動表示ゲームの結果に対応して遊技者に特典を付与する特別遊技状態を発生可能な遊技機において、前記遊技領域における遊技を統括的に制御する遊技制御手段と、遊技の演出を行う複数の演出装置と、前記遊技制御手段からの指令に対応して、前記複数の演出装置を制御する演出制御手段と、を備え、前記演出装置の系統の各々を複数グループに分割し、該分割されたグループに属する演出装置を制御するためのグループ単位制御手段を各グループ毎に設け、前記演出制御手段を、前記グループ単位制御手段の各々を統括的に制御するグループ統括制御手段として構成するとともに、前記グループ統括手段から前記グループ単位制御手段へタイミング信号を伝達するタイミング信号線と、前記グループ統括制御手段と前記グループ単位制御手段との間でデータを授受するデータ線と、を備えることにより前記グループ統括制御手段と前記各グループ単位制御手段との間で相互にデータ送信を可能とし、前記グループ統括制御手段は、前記各グループ単位制御手段の中から送信先のグループ単位制御手段を選択してアドレスを設定するアドレス設定手段と、前記データ線の信号レベルを送信データに対応する信号レベルに設定しながら前記タイミング信号線の信号レベルを繰り返し変化させることで、前記送信先のグループ単位制御手段に前記アドレスを含むデータ送信を行う送信手段と、前記送信手段によるデータ送信の後に、前記グループ単位制御手段からの返答信号を取り込む返答信号取込手段と、取り込んだ前記返答信号によりデータ送信の成否を判定する判定手段と、を備え、前記グループ単位制御手段は、前記送信手段が送信したデータが自宛のアドレスを示す場合に、該送信手段がデータ送信を行った前記データ線を介して、前記返答信号を前記グループ統括制御手段へ出力する返答信号出力手段を備え、前記各グループ単位制御手段の各々には個別のアドレスが設定され、当該遊技機は、前記グループ統括制御手段に接続可能なグループ単位制御手段の全てのアドレスのうちの一部のアドレスを有するグループ単位制御手段の組み合わせによって、予め定められた複数種類の仕様の中から、当該遊技機の仕様が選択的に特定されるとともに、前記グループ統括制御手段は、当該遊技機の仕様を識別可能な仕様識別情報を記憶する仕様情報記憶手段と、前記判定手段による判定結果に基づいて、当該グループ統括制御手段に接続されたグループ単位制御手段のアドレスの組み合わせを特定する組み合わせ特定手段と、前記組み合わせ特定手段により特定されたグループ単位制御手段のアドレスの組み合わせと、前記仕様識別情報によって特定される仕様との一致を判別する仕様一致判別手段と、を備える。